(57)【要約】【課題】ホルムアルデヒドの捕捉能力が極めて高いホルムアルデヒド捕捉剤を提供すること。【解決手段】スルファニル酸もしくはその誘導体の水溶液またはアルコール溶液を含有する。【選択図】なし【特許請求の範囲】
【請求項１】
スルファニル酸もしくはその誘導体の水溶液またはアルコール溶液を含有することを特徴とするホルムアルデヒド捕捉剤。
【請求項２】
消臭剤である請求項１記載のホルムアルデヒド捕捉剤。
【請求項３】
消臭対象であるホルムアルデヒド臭が、医療機関および検査機関に存在するものである請求項２記載のホルムアルデヒド捕捉剤。
【請求項４】
消臭対象であるホルムアルデヒド臭が、空気中に存在するものである請求項２記載のホルムアルデヒド捕捉剤。
【請求項５】
請求項１または２記載のホルムアルデヒド捕捉剤を固体状物質に担持させた後、そのホルムアルデヒド捕捉剤を乾燥させてなる固体状ホルムアルデヒド捕捉剤。
【請求項６】
請求項１または２記載のホルムアルデヒド捕捉剤を乾燥させた後に固体状物質に担持させてなる固体状ホルムアルデヒド捕捉剤。
【請求項７】
請求項１または２記載のホルムアルデヒド捕捉剤を合成樹脂に含浸させてなるホルムアルデヒド捕捉剤。
【請求項８】
請求項１または２記載のホルムアルデヒド捕捉剤を含有する紙、表面処理剤、接着剤、建材部品、車両用部品または航空機用部品。
【発明の詳細な説明】
【技術分野】
【０００１】
本発明は、各種材料から発生するホルムアルデヒドを捕捉することができるホルムアルデヒド捕捉剤に関する。
【背景技術】
【０００２】
ホルムアルデヒドの水溶液である、ホルマリンは無色透明で刺激臭があり、生体に有害である。そのため、遺体の移動保存や臓器の移動保存や臓器の検査消毒等の医療関係の保存作業、検査作業、移動作業などに広くホルマリンが用いられている。また、ホルマリンによって死滅する菌類や細菌類が多いことから、希釈した水溶液は消毒用に用いられている。
【０００３】
ところが、上記各作業中にホルマリンを収容した容器の蓋をあけることによって周囲環境に飛散するホルムアルデヒの臭気や作業中に容器から滴下したホルマリン中のホルムアルデヒの臭気を除去するために、ホルムアルデヒドを捕捉することが必要な場合がある。
一方、合板木材、集合木材、合成樹脂等を主体とする新建材を用いた工場生産方式の建築法が工期の短縮、建設費の節減等の利点を有する工法として普及している。これらの新建材を使用した建築物は高気密、高断熱のコンパクトな構造を有しているため、建材を構成する木材本体から発生するホルムアルデヒドの他に、尿素樹脂やメラミン樹脂などの合成樹脂のメチロール化のために使用されているホルムアルデヒドが室内に高濃度で充満することによって、いわゆるシックハウス症候群が招来され、大きな社会問題となっている。その他、日常生活において広く使用されている各種紙や各種表面処理剤や接着剤などにもホルムアルデヒドは含まれている。
【０００４】
このように、ホルムアルデヒドの発生源は多岐にわたるので、各種のホルムアルデヒド発生源から効率よくホルムアルデヒドを除去できるホルムアルデヒド捕捉剤が求められている。例えば、室内のホルムアルデヒドを低減させるには、(1)ノンホルムアルデヒドまたは低ホルムアルデヒド材料を使用する、(2)換気を行う、(3)吸着剤を用いる、の３つの方法が考えられる。
【０００５】
しかし、既存の建物でホルムアルデヒド濃度が高い場合に、(1)の方法では、無駄な交換費用の増大を避けるためにホルムアルデヒド発生源を確実に特定し、交換する必要があるが、ホルムアルデヒド発生源を確実に特定することは困難である。また、(2)の換気による方法は、集合住宅などのように換気装置が備わっていない場合やホルムアルデヒド濃度が高い場合には、十分に濃度が低下するまで長期間を要する。また、窓の開放による換気では、防犯上の問題や寒冷地の冬期間中では窓を開放することができないなど、十分に換気することが不可能な場合がある。(3)の吸着剤を用いる方法は、ホルムアルデヒド発生源をある程度予測できる場合、その建材に吸着剤を塗布または固定することで、低ホルムアルデヒド化が可能である。例えば、ホルムアルデヒド吸着剤として、ヒドラジン水和液やアニリンやピリジンなどの化学物質を吸着材料に吸着させた吸着剤が知られている。しかし、ヒドラジン水和液は有毒であり、アニリンやピリジンは特別の異臭を放つので、好ましいホルムアルデヒド捕捉剤とは言えない。
【０００６】
例えば、特許文献１には、天然材を素材とする内装材を使用し、空隙部に活性炭を収め、かつ溶剤を使用しない材料で内装処理をすることを特徴とするシックハウス症候群防御方法が開示されている。
【０００７】
特許文献２には、金及び／又は銀コロイドを用いてホルムアルデヒド雰囲気を消失せしめる方法が開示されている。
【先行技術文献】
【特許文献】
【０００８】
【特許文献１】特開２００２−２２７３２４号公報
【特許文献２】特開２００６−８７８２２号公報
【発明の概要】
【発明が解決しようとする課題】
【０００９】
しかし、特許文献１と２に開示された方法は、いずれもホルムアルデヒドの捕捉能力が十分とは言えない。
【００１０】
本発明は従来の技術の有するこのような問題点に鑑みてなされたものであって、その目的は、ホルムアルデヒドの捕捉能力が極めて高いホルムアルデヒド捕捉剤を提供することにある。
【課題を解決するための手段】
【００１１】
上記課題を解決するために、本発明のホルムアルデヒド捕捉剤は、スルファニル酸もしくはその誘導体の水溶液またはアルコール溶液を含有することを特徴としている。
このホルムアルデヒド捕捉剤は、消臭剤として用いることが好ましい。
例えば、本発明のホルムアルデヒド捕捉剤は、医療機関および検査機関に存在するホルムアルデヒド臭を捕捉することができる。
さらに、本発明のホルムアルデヒド捕捉剤は、空気中に存在するホルムアルデヒド臭を捕捉することができる。
本発明のホルムアルデヒド捕捉剤を固体状物質に担持させた後、そのホルムアルデヒド捕捉剤を乾燥させて、固体状ホルムアルデヒド捕捉剤として用いることができる。
本発明のホルムアルデヒド捕捉剤を乾燥させた後に固体状物質に担持させて、固体状ホルムアルデヒド捕捉剤として用いることができる。
また、本発明のホルムアルデヒド捕捉剤は合成樹脂に含浸させることができる。
そして、本発明のホルムアルデヒド捕捉剤は、紙、表面処理剤、接着剤、建材部品、車両用部品または航空機用部品の表面に固定するか、その内側に保持するか又はこれらと同等の手段により、それらの部材に含有させることができる。
【発明の効果】
【００１２】
本発明によれば、スルファニル酸またはその誘導体がホルムアルデヒドと効果的に反応して、ホルムアルデヒドを効率的に捕捉することができる。
【図面の簡単な説明】
【００１３】
【図１】図１は、Ｎａ＋とスルファニル酸と水の三元相関図である。
【図２】図２は、スルファニル酸の水溶液および水によるホルムアルデヒドガスの捕捉機能を比較する図である。
【図３】図３は、スルファニル酸の水溶液および水によるホルムアルデヒドガスの捕捉機能を比較する別の図である。
【図４】図４は、固体状物質で本発明のホルムアルデヒド捕捉剤を担持することによって、リバウンド現象が起こらなかったことを示す図である。
【図５】図５は、固体状物質で本発明のホルムアルデヒド捕捉剤を担持することによって、リバウンド現象が起こらなかったことを示す別の図である。
【発明を実施するための形態】
【００１４】
以下に、本発明の実施が可能な実施形態について説明する。当然のことながら、本発明の範囲を逸脱することなく、他の実施形態を利用することもできる。
スルファニル酸は、分子式がＣ６Ｈ７ＮＯ３Ｓで、分子量が１７３．１９で、以下の化学構造を有する、低毒性で、融点が３００℃超、比重が１．４８５で、やや灰色を帯びた白色の微粉結晶で、水に不溶性の物質である。
【化１】
2013094606.tif 000002
本発明者が、スルファニル酸の白色の微粉結晶、約５０ｇｒにＮａＨＣＯ３約２０ｇｒと水２０ｍｌを加えて混合し、数時間放置したところ、スルファニル酸の結晶形状に明らかな変化が認められた。そこで、約１５０ｍｌの水をさらに加えると、水に不溶性であるスルファニル酸が完全に水に溶解したことを確認した（ｐＨは約４）。この水溶液を濾過し、不純物を除去して自然乾燥させたところ、褐色透明の六角形板状の結晶が得られた。この六角形板状の結晶をセピオライト（Ｓｉ１２Ｍｇ８Ｏ３０（ＯＨ）４（ＯＨ２）４・８Ｈ２Ｏ）に接触させると、その結晶はセピオライトに吸着された。
【００１５】
本発明者は、上記知見に基づいて、図１に示すようなＮａ＋とスルファニル酸と水の三元相関図を作成した。Ｎａ＋としては、ＮａＨＣＯ３に限らず、ＮａＯＨやＮａＨ２ＰＯ４やＮａ２ＳＯ４やＮａＳｉＯ４などを用いることができる。このようにして本発明者は、スルファニル酸にＮａ＋イオンを含有するアルカリ溶液を接触させて、ｐＨを約４にすることによって、水に可溶なスルファニル酸が得られることを確認した。図１の三元相関図の各辺は質量％を表す。また、スルファニル酸にＬｉ＋イオンまたはＫ＋イオンを含有するアルカリ溶液を接触させて、ｐＨを約４にすることによっても、水に可溶なスルファニル酸が得られることを確認した。当然のことながら、スルファニル酸誘導体についても、同様の操作を施すことによって、水に可溶となることは容易に推測できる。
【００１６】
図１において、１はスルファニル酸の粉体としてホルムアルデヒドと反応し得る範囲を示し、２はスルファニル酸またはその塩のペーストとして、固体状物質に担持し得る範囲を示し、３はスルファニル酸またはその塩のスラリーとして、固体状物質に担持し得る範囲を示し、４はスルファニル酸またはその塩として水に可溶な範囲を示す。
【実施例】
【００１７】
以下に本発明の実施例を説明する。
《第一実施例》
スルファニル酸の白色の微粉結晶、約４７ｇｒにＮａＨＣＯ３約２３ｇｒと水１４０ｍｌを加えて混合することによって、ｐＨが約７．０のスルファニル酸の水溶液を２１０ｇｒ得た。このスルファニル酸の水溶液２１０ｇｒを市販のキッチンペーパー１．８ｇｒに含浸させた。また、比較のために、水道水２１０ｇｒを別の市販のキッチンペーパー１．８ｇｒに含浸させた。
【００１８】
そして、容量が１３リットルの２個のガラス製デシケーターにホルムアルデヒドガスを注入して初期濃度を測定後、上記キッチンペーパーを別々のガラス製デシケーターに静かに投入して、そのガラス製デシケーター内のホルムアルデヒドガスの濃度を検知管にて測定した。図２は、その測定結果を示す図で、黒い丸がスルファニル酸の水溶液を含浸させたキッチンペーパーを有するデシケーターを示し、黒い三角が水道水を含浸させたキッチンペーパーを有するデシケーターを示す。図２の縦軸はホルムアルデヒドガス濃度（ｐｐｍ）で、横軸は経過時間(分)を示す。明らかにスルファニル酸の水溶液を含浸させたキッチンペーパーを有するデシケーター内のホルムアルデヒドガス濃度は低下しており、スルファニル酸の水溶液は優れたホルムアルデヒドガス捕捉機能を備えていることが分かる。なお、一定時間以上経過すると、２個のデシケーター内のホルムアルデヒドガス濃度は平衡に達してやや上昇したが、スルファニル酸の水溶液を含浸させたキッチンペーパーを有するデシケーターは、初期濃度１４ｐｐｍが最終的に１０ｐｐｍになり、脱臭率は２８．６％であった。一方、水道水を含浸させたキッチンペーパーを有するデシケーターは、初期濃度１４ｐｐｍが最終的に１３ｐｐｍになり、脱臭率は７．１％であった。
【００１９】
《第二実施例》
第一実施例と同じ方法で得たスルファニル酸の水溶液９．０ｇｒを脱脂綿１．０ｇｒに含浸させた。また、比較のために、水道水９．０ｇｒを別の脱脂綿１．０ｇｒに含浸させた。
【００２０】
そして、第一実施例と同じように、容量が１３リットルの２個のガラス製デシケーターにホルムアルデヒドガスを注入して初期濃度を測定後、上記脱脂綿を別々のガラス製デシケーターに静かに投入して、そのガラス製デシケーター内のホルムアルデヒドガスの濃度を検知管にて測定した。図３は、その測定結果を示す図で、黒い丸がスルファニル酸の水溶液を含浸させた脱脂綿を有するデシケーターを示し、黒い三角が水道水を含浸させた脱脂綿を有するデシケーターを示す。図３の縦軸はホルムアルデヒドガス濃度（ｐｐｍ）で、横軸は経過時間(分)を示す。明らかにスルファニル酸の水溶液を含浸させた脱脂綿を有するデシケーター内のホルムアルデヒドガス濃度は低下しており、スルファニル酸の水溶液は優れたホルムアルデヒドガス捕捉機能を備えていることが分かる。なお、一定時間以上経過すると、２個のデシケーター内のホルムアルデヒドガス濃度は平衡に達してやや上昇したが、スルファニル酸の水溶液を含浸させた脱脂綿を有するデシケーターは、初期濃度９ｐｐｍが最終的に４ｐｐｍになり、脱臭率は５５．６％であった。一方、水道水を含浸させた脱脂綿を有するデシケーターは、初期濃度８ｐｐｍが最終的に６ｐｐｍになり、脱臭率は２５．０％であった。
【００２１】
《固体状物質によるホルムアルデヒド捕捉剤の担持》
図２および図３から、スルファニル酸の水溶液は優れたホルムアルデヒドの捕捉剤であることが分かるが、その捕捉速度を増すためには、スルファニル酸を固体状物質に担持させるのが好ましい。その固体状物質が濡れているか又は結晶水を有する物質であれば、スルファニル酸は粉末でも、ペーストでも、スラリー状であってもよい。スルファニル酸の水溶液は当然、固体状物質に担持させることができる。水溶液の水分が多いときは、必要に応じて乾燥すればよい。
そのような固体状物質としては、例えば、セピオライト、アタパルジャイト、パリゴルスカイト、酸性白土などのフーラーズアース、ミズカナイト、アルミナゲル、シリカゲル、珪藻土、鹿沼土などの乾燥固体や、合成ゼオライト４Ａ、合成ゼオライト５Ａ、合成ゼオライト１３Ｘ、合成ゼオライト１３Ｙ、菱沸石などの孔径が２．２μｍ以上のゼオライト類、軽石、発泡パーラート、発泡バーミキュライト、ウレタンスポンジ、吸水性樹脂、へちまスポンジなどの多孔体を挙げることができる。
【００２２】
《第三実施例》
図２および図３に示すように、スルファニル酸の水溶液をキッチンペーパーや脱脂綿に含浸させたホルムアルデヒド捕捉剤では、一旦低下した容器内のホルムアルデヒドガス濃度が再び上昇に転じる、いわゆるリバウンド現象が見られた。しかし、以下に説明するように、本発明のホルムアルデヒド捕捉剤を固体状物質に担持させることによって、リバウンド現象を避けることができた。
【００２３】
スルファニル酸の白色の微粉結晶、約４７ｇｒにＮａＨＣＯ３約２３ｇｒと水１４０ｍｌを加えて混合することによって、ｐＨが約７．０のスルファニル酸の水溶液２１０ｇｒを得た。この水溶液を濾過し、不純物を除去して自然乾燥させたところ、褐色透明の六角形板状の結晶が得られた。この六角形板状の結晶をセピオライト２５ｇｒまたはゼオライト２５ｇｒに接触させて、その結晶をセピオライトまたはゼオライトに吸着させた。さらに、それらセピオライトまたはゼオライトを９０℃の恒温槽内で２昼夜乾燥させた。
【００２４】
そして、容量が１３リットルの２個のガラス製デシケーターにホルムアルデヒドガスを注入して初期濃度を測定後、上記セピオライトまたはゼオライトをメッシュ状のナイロンに保持したものを別々のガラス製デシケーターに静かに投入して、そのガラス製デシケーター内のホルムアルデヒドガスの濃度を検知管にて測定した。図４は、その測定結果を示す図で、黒い丸がセピオライトを保持したメッシュ状ナイロンを有するデシケーターを示し、白い三角がゼオライトを保持したメッシュ状ナイロンを有するデシケーターを示す。図４の縦軸はホルムアルデヒドガス濃度（ｐｐｍ）で、横軸は経過時間(分)を示す。いずれもリバウンド現象は見られず、ホルムアルデヒドガスの脱臭率は９９％以上であった。
【００２５】
《第四実施例》
第三実施例と同じようにして得た褐色透明の六角形板状の結晶を活性白土２７．４ｇｒまたはセピオライト２７．６に接触させて、その結晶を活性白土またはセピオライトに吸着させた。
そして、容量が１３リットルの２個のガラス製デシケーターにホルムアルデヒドガスを注入して初期濃度を測定後、上記活性白土またはセピオライトを別々のガラス製デシケーターに静かに投入して、そのガラス製デシケーター内のホルムアルデヒドガスの濃度を検知管にて測定した。図５は、その測定結果を示す図で、黒い丸が活性白土を有するデシケーターを示し、白い三角がセピオライトを有するデシケーターを示す。図５の縦軸はホルムアルデヒドガス濃度（ｐｐｍ）で、横軸は経過時間(分)を示す。いずれもリバウンド現象は見られず、ホルムアルデヒドガスの脱臭率は９９．３％以上であった。
【産業上の利用可能性】
【００２６】
本発明は、ホルムアルデヒドガス捕捉剤として有用である。
【符号の説明】
【００２７】
１  スルファニル酸の粉体としてホルムアルデヒドと反応し得る範囲
２  スルファニル酸またはその塩のペーストとして、固体状物質に担持し得る範囲
３  スルファニル酸またはその塩のスラリーとして、固体状物質に担持し得る範囲
４  スルファニル酸またはその塩として水に可溶な範囲
【図１】
2013094606.tif 000003
【図２】
2013094606.tif 000004
【図３】
2013094606.tif 000005
【図４】
2013094606.tif 000006
【図５】
2013094606.tif 000007